【事件の表示】
　平成１１年特許願第１１１３２２号「携帯電話機」拒絶査定不服審判事件〔平成１２年１１月　２日出願公開、特開２０００−３０８０３２〕について、次のとおり審決する。
【結　論】
　本件審判の請求は、成り立たない。
【理　由】
第１　手続の経緯
　本願は、平成１１年４月１９日の出願であって、平成１７年１月１８日付けで拒絶査定がなされ、これに対し、平成１７年２月２４日に拒絶査定に対する審判請求がなされ、同年３月２５日付けで手続補正がなされたものである。
　
第２　補正却下の決定
　［補正却下の決定の結論］  
　　　　平成１７年３月２５日付けの手続補正を却下する。
　［理由］
１．補正後の本願発明
　平成１７年３月２５日付けの手続補正は、補正前の特許請求の範囲の請求項２に係る発明を、
　「外部から撮像画像を入力する画像入力手段と、上記画像入力手段により入力された撮像画像を記憶する記憶手段と、上記記憶手段に記憶されている少なくとも１以上の撮像画像のうち、待受画像に使用する撮像画像を選択し、時計画像を該撮像画像に合成し、合成後の撮像画像を待受画像としてディスプレイに表示する画像生成手段と、予め用意された複数の時計画像の表示位置のうち、上記撮像画像に合成する時計画像の表示位置をユーザが選択操作することにより設定する設定手段とを備えた携帯電話機。」
という発明（以下、「補正発明」という。）に補正することを含むものである。
　
２．新規事項の有無、補正の目的要件について
　上記補正は、願書に最初に添付した明細書又は図面に記載した事項の範囲内でなされたものであるから、特許法第１７条の２第３項の規定に適合している。
　また、平成１６年１０月１５日付けで手続補正された請求項２の「上記撮像画像に合成する時計画像の表示位置を選択操作されることにより設定する」との記載における「選択操作」に関して、「ユーザが選択操作する」ものであると限定するものであるから、特許法第１７条の２第４項第２号の特許請求の範囲の減縮を目的とするものに該当する。
　
３．独立特許要件について
　上記平成１７年３月２５日付けの手続補正は特許請求の範囲の減縮を目的とするものであるから、上記補正発明が、特許出願の際独立して特許を受けることができるものであるか（特許法第１７条の２第５項において準用する同法第１２６条第５項の規定に適合するか）について以下に検討する。
　
３．１　補正発明
　上記「１．補正後の本願発明」の項で認定したとおりである。
　
３．２　引用発明
（１）原査定の拒絶の理由に引用された特開平１０−１３８８３号公報（以下、「引用例１」という。）には、図面とともに以下の事項ａ，ｂが記載されている。
　
・摘記事項ａ　（３頁３欄４７行〜４欄３３行）
「【００１５】
【発明の実施の形態】以下、図面を参照して本発明の一実施形態について説明する。図１は本発明の一実施形態による無線選択呼出受信機の電気回路構成を示すブロック図であり、図５に示された従来の無線選択呼出受信機と共通する部分には同一の符号を付し、その説明を省略する。図１に示された本発明の一実施形態による無線選択呼出受信機が、図５に示された従来の無線選択呼出受信機と異なる点は、主に、待ち受け時に表示器２０に表示される内容を記憶する画面データ記憶部３４と、この画面データの表示時刻を記憶する画面予約部３０ｂを備える制御部３０とが設けられた点である。
【００１６】上記画面データ記憶部３４は、イラスト３４ａ、名刺３４ｂ、カレンダー３４ｃ、及び置き時計３４ｄ等の画面データを記憶する。画面データが名刺３４ｂである場合には、操作者がスイッチ１６を操作して入力する。あるいは外部のパーソナルコンピュータ等によって名刺３４ｂを作成し、入力装置（図示省略）から入力する。その他の画面データに対しては、上記パーソナルコンピュータによって画面を作成し、上記入力装置から入力しても良い。３６は時計部であり、時刻をカウントして現在時刻を制御部３０へ出力する。上記制御部３０に設けられた画面予約部３０ｂは、画面データ記憶部３４に記憶された複数の画面データに対して各々を表示する時刻を記憶する。
【００１７】図２は画面予約部３０ｂに記憶された内容の一例を示す表である。図２中表に示されるように、表示時刻が格納されたフィールドＣ１と、フィールドＣ１に格納された表示時刻に表示する画面データの識別子が格納されたフィールドＣ２とからなる複数のレコードが記憶される。例えば、レコードＲ１は６時３０分に置き時計の画面データを表示するという内容である。この内容は、操作者がスイッチ１６を操作して予め記憶させている。ここで、フィールドＣ１には表示画面開始時刻のみが記憶されているが、６時３０分から９時までは、置き時計を表示するという意味を有する。つまり、表示時間帯が記憶されていると同義である。」
　
・摘記事項ｂ　（４頁５欄３２行〜６欄１５行）
「【００２２】時間が経過し、現在時刻が１７時となった場合には、時刻比較部３０ｃは画面予約部３０ｂに記憶された複数のレコードのフィールドＣ１を検索し、フィールドＣ１に格納された時刻と現在時刻とを比較し、現在時刻に表示する画面データの種類を示す比較信号を出力する。この場合にはレコードＲ３に格納されたイラストの種類が比較信号として出力される。そして、制御部３０は画面データ記憶部３４に記憶されているイラスト３４ａを読み出して表示部２０へ出力する。このように、待受表示画面が表示されている場合であっても、画面予約部３０ｂに記憶された内容に基づいて、画面の表示が切り替わる。尚、待受画面が表示されているときに、メッセージ信号を受信した場合には、メッセージ表示画面に切り替わり、メッセージが表示された後、所定の時間が経過すると、もとの待受表示画面に切り替わる。
【００２３】図３（ａ）〜３（ｃ）及び図４（ａ）〜４（ｃ）は、待受表示画面に表示される内容の一例であり、図３（ａ）〜（ｃ）は学生等のパーソナル向けの待受表示画面である。図３（ａ）は、６時３０分から９時の朝の時間帯に表示される画面であり、置き時計が表示される。図３（ｂ）は、９時から１７時の時間帯に表示される画面であり、カレンダーを表示する。図３（ｃ）は、１７から翌朝６時３０分のプライベートな時間帯に表示される画面であり、イラスト（おつかれさまメッセージ付き）を表示する。
【００２４】また、図４（ａ）〜４（ｃ）はビジネス向けの待受表示画面である。図４（ａ）は６時から９時までの時間帯に表示される画面であり、イラスト（おはようメ一ッセージ付き）が表示される。９時から２０時までのワークタイムには図３（ｂ）に示された画面、即ち使用者の名刺画面が表示される。また、２０時から翌朝６時までのプライベートな時間帯には図４（ｃ）に示されたように、趣味のイラスト画面が表示される。」
　
　上記摘記事項ａの段落【００１６】における「上記画面データ記憶部３４は、イラスト３４ａ、名刺３４ｂ、カレンダー３４ｃ、及び置き時計３４ｄ等の画面データを記憶する。」との記載から、「画面データ記憶部３４」には、少なくとも１以上の「画面データ」が記憶されるものである。また、同「画面データが名刺３４ｂである場合には、操作者がスイッチ１６を操作して入力する。あるいは外部のパーソナルコンピュータ等によって名刺３４ｂを作成し、入力装置（図示省略）から入力する。その他の画面データに対しては、上記パーソナルコンピュータによって画面を作成し、上記入力装置から入力しても良い。」との記載から、「画面データ」は「外部」から「入力装置」によって入力可能なものである。
　上記摘記事項ｂの段落【００２２】における「制御部３０は画面データ記憶部３４に記憶されているイラスト３４ａを読み出して表示部２０へ出力する。このように、待受表示画面が表示されている場合であっても、画面予約部３０ｂに記憶された内容に基づいて、画面の表示が切り替わる。」との記載、及び、上記摘記事項ｂにおける図３（ａ）〜３（ｃ）、図４（ａ）〜４（ｃ）に関する記載、並びにそれらの図示からみて、（画面予約部３０ｂに記憶された内容に従って、置き時計やイラスト等の選択肢から、）待受画像に使用する画面データを選択するものであるといえる。
　また、図３（ｂ）には、カレンダーに「３：１５ＰＭ」との文字が付加された待受表示画面の表示例が示されており、図３（ｃ）、図４（ａ）、（ｃ）にもイラストに同様の文字が付加された表示例が示されているところ、それらの文字は時刻表示であり、時計画像を構成していると解されるから、時計画像と画面データとを待受画像として表示することが読み取れる。
　
　したがって、上記引用例１の記載及び図面並びにこの分野における技術常識を考慮すると、上記引用例１には、以下の発明（以下、「引用発明」という。）が記載されているものと認められる。
　
　「外部から画面データを入力する入力装置と、上記入力装置により入力された画面データを記憶する画面データ記憶部３４と、上記画面データ記憶部３４に記憶されている少なくとも１以上の画面データのうち、待受画像に使用する画面データを選択し、時計画像と画面データとを待受画像として表示器２０に表示する手段とを備えた無線選択呼出受信機。」
　
（２）また、原査定の拒絶の理由に引用された特開平１０−１４３６３６号公報（以下、「引用例２」という。）には、図面とともに以下の事項ｃ〜ｅが記載されている。
　
・摘記事項ｃ　（２頁２欄１４行〜３頁３欄２８行）
「【０００８】
【発明の実施の形態】以下、図面を参照しながら、本発明の実施例を説明する。図１は、本発明の第一実施例であるインテリア時計１０のシステム構成を示すブロック図である。
【０００９】同図において、主制御部１１は、マイクロプロッセサーなどから成り、不図示のＲＯＭ（リード・オンリ・メモリ）などに格納されたプログラムを実行してシステム全体の制御を行う。また、各文字コードに対応するフォントが格納された文字フォントメモリ１１ａ及び画像データの選択・加工や転送などの処理を行う画像データ選択加工転送部１１ｂを備えている。この主制御部１１は、後述する本発明の要部に係わる動作の制御を行う。
【００１０】画像メモリ１２は、複数のビット・マップ形式の画像データを格納するメモリである。画像データ表示バッファ１３は、主制御部１１によって選択された画像メモリ１２内の画像データを一時的に保持するフレームバッファである。
【００１１】時計カウンタ１４は、インテリア時計１０が表示する日付（月日）、時刻（時分）などの現在時刻を計時するカウンタである。時刻文字表示バッファ１５は、”時”（日付、時分）を表示するための画像データを格納するバッファである。この画像データは、主制御部１１の画像データ選択加工転送部１１ｂによって書き込まれる。画像データ選択加工転送部１１ｂは、時計カウンタ１４から入力する時刻データを文字フォント１１ａを用いて，ビット・マップ形式の画像データに展開して、これを時刻文字表示バッファ１５に書き込む。
【００１２】表示部１６は、例えば、液晶ディスプレイやプラズマ・ディスプレイなどのような薄型のディスプレイであり、壁に掛けたり、机の上に立てておくことが可能なものである。
【００１３】表示制御部１９は、上記画像データ表示バッファ１３と上記時刻文字表示バッファ１５の両方から画像データを読み出して、これら２つの画像データの合成画像を、表示部１６の画面に表示させる。したがって、画像データ表示バッファ１３内に格納される画像が変化することにより、表示部１６の画面に表示される画像が変化する。また、時刻文字表示バッファ１５に格納される時計データの画像が変化することにより、表示部１６の画面に表示される”時”（日時）が変化する。
【００１４】設定記憶部１７は、図２に示すように、基本設定レジスタ群１７ａと動作設定レジスタ群１７ｂから成る。基本設定レジスタ群１７ａは、時刻表示位置レジスタ１７１、日付表示位置レジスタ１７２、選択画像レジスタ１７３などの複数のレジスタから成る。
【００１５】時刻表示位置レジスタ１７１は、表示部１６の画面上での時刻の表示位置が設定されるレジスタである。日付表示位置レジスタ１７２は、表示部１６の画面上での日付の表示位置が設定されるレジスタである。
【００１６】選択画像レジスタ１７３は、表示部１６の画面に”時”（日時）の画像の背景画像として表示される画像メモリ１２内の画像データの選択情報が設定されるレジスタである。
【００１７】主制御部１１は、時刻表示位置レジスタ１７１と日付表示位置レジスタ１７２から読み出すデータを基に、表示部１６の画面に表示させる日付と時刻の画面上での位置を決定し、表示制御部１９を制御して、その決定した位置に日付と時刻を表示させる。また、主制御部１１は、選択画像レジスタ１７３から読み出す情報を基に、該選択画像レジスタ１７３に設定されている選択情報に対応する画像データを画像メモリ１２から読み出して、これを、画像データ表示バッファ１３に転送する。」
　
・摘記事項ｄ　（３頁３欄２９行〜４欄４０行）
「【００１８】動作設定レジスタ群１７ｂは、動作時刻レジスタ１７６と動作定義レジスタ１７８の複数の組を備えている。この動作時刻レジスタ１７６と動作定義レジスタ１７８の組は、主制御部１１が後述するイベント処理を実行するために用いられる。主制御部１１は、時計カウンタ１４から読み出した時刻データと動作時刻レジスタ１７６に設定されている時刻データとを比較し、両者が一致したことを検出すると、該動作時刻レジスタ１７６と組になっている動作定義レジスタ１７８に設定されている命令に従った動作（イベント処理）を実行する。このイベント処理の詳細については、後述する。
【００１９】動作定義レジスタ１７８は、画像データ表示バッファ１３の内容を書き換える命令の他に、基本設定レジスタ群１７ａの各レジスタの内容や、動作設定レジスタ群１７ｂ自身の内容を書き替える命令などが設定されるレジスタである。
【００２０】キー操作部１８は、複数の操作キーを備えており、該キーの操作に応じて，時計カウンタ１４に対する時計データの設定や設定記憶部１７内の各レジスタに対する値や命令などの設定に使用される入力装置である。
【００２１】主制御部１１は、キー操作部１８からのキー入力を受け付け、そのキー入力データを解析して、当該データを設定記憶部１７の当該レジスタに設定する。図３は、図１の画像データ選択加工転送部１１ｂ内に設けられた時刻文字表示バッファデータ作成部１１ｃのブロック構成を示す図である。
【００２２】ドット変換部１１１は、時計カウンタ１４から、それが計時する時刻の分が変化する毎に、現在の”時”（日付、時刻）データを入力する。そして、その現在の日付・時刻を表す文字に対応するフォントを文字フォントメモリ１１ａから読み出し、そのフォントを、基本設定レジスタ群１７ａ内の大きさレジスタ１７４に設定されている大きさのドットイメージに展開して、イメージバッファ１１２内に格納する。
【００２３】基本設定レジスタ群１７ａ内には、図２に示す日付表示位置レジスタ１７２と時刻表示位置レジスタ１７１とで構成される位置設定レジスタに加え、上記各位置レジスタ１７１、１７２に、個別に対応して設けられた大きさレジスタ１７４が設けられている。これらの大きさレジスタ１７４には、対応する位置レジスタ（日付表示位置レジスタ１７２または時刻表示位置レジスタ１７１）に設定されている”時”（日付、時刻）データの画面上での表示サイズが設定される。
【００２４】転送制御部１１３は、ドット変換部１１１によって生成された上記現在の日付・時刻のドットイメージデータをイメージバッファ１１２から読み出し、これを、基本設定レジスタ群１７ａ内の時刻表示位置レジスタ１７１及び日付表示位置レジスタ１７２に設定された表示部１６の画面表示位置情報にしたがって、時刻文字表示バッファ１５に転送する。すなわち、上記現在の日付・時刻の画像が上記画面表示位置情報によって指定される位置に表示されるように、上記現在の日付・時刻のドットイメージデータを時刻文字表示バッファ１５に転送する。
【００２５】大きさレジスタ１７４、時刻表示位置レジスタ１７１及び日付表示位置レジスタ１７２の内容は、動作設定レジスタ群１７ｂ内の動作定義レジスタ１７８によって書き替えることが可能となっており、この書き替え操作により、”時”（日付、時刻）に応じて、現在の日付・時刻の表示サイズや表示位置を変更することが可能となっている。」
　
・摘記事項ｅ　（４頁５欄２０〜４７行）
「【００３０】次に、上記構成のインテリア時計１０の動作を説明する。図５は、基本設定レジスタ群１７ａ内の日付表示位置レジスタ１７２及び大きさレジスタ１７４の内容を操作することによって、特定の日付になると、インテリア時計１０の表示部１６の画面に表示される日付の文字の大きさ及び表示位置を変化させる例を示す図である。
【００３１】図５に示す例では、動作時刻レジスタ１７６に９月１８日を設定しておき、その動作時刻レジスタ１７６と組になっている動作定義レジスタ１７８に日付表示位置レジスタ１７２と大きさレジスタ１７４の内容を変化させる命令を設定しておく。この場合、例えば、「９月１８日」を、このインテリア時計１０の持ち主の誕生日とする。通常は、インテリア時計１０は、図５（ａ）に示すように、画面の左側の下部に、日付と現在時刻を表示する。そして、９月１８日が到来すると、図３の時刻文字表示バッファデータ作成部１１ｃの処理により、図５（ｂ）に示すように「９月１８日」の日付を画面の上部に拡大して表示させる。この動作時刻レジスタ１７６に設定する日付は、誕生日以外にも家族の記念日や出張の出発日など各種の日付を自由に設定可能である。また、日付ではなく、時刻であってもよい。また、季節の節目の日付などであってもよい。このように、時刻表示位置レジスタ１７１または日付表示位置レジスタ１７２の内容を書き換えることによって、時刻、日付または季節に応じて、インテリア時計１０の画面に表示される現在時刻や現在日付の表示位置やサイズを自由に変化させることが可能である。」
　
　上記摘記事項ｃの記載から、インテリア時計１０は、時刻文字表示バッファ１５に書き込まれた”時”（日付、時分）を表示するための画像データ（すなわち、時刻の画像）を、画像データ表示バッファ１３に転送された背景画像に合成し、合成後の画像を表示部１６に表示させるものである。
　また、上記摘記事項ｄの段落【００２２】〜【００２５】の記載、及び、上記摘記事項ｅの段落【００３０】〜【００３１】の記載によれば、動作定義レジスタ１７８への命令の設定により、時刻表示位置レジスタ１７１の内容を書き換えることができ、その結果、時刻の画像が時刻表示位置レジスタ１７１に設定された表示部１６の画面表示位置情報にしたがって時刻文字表示バッファ１５に転送され、インテリア時計１０の画面に表示される現在時刻の表示位置を自由に変化させることが可能であることが理解できる。
　そして、上記摘記事項ｄの段落【００２０】〜【００２１】の記載において、キー操作部１８からのキー入力を行うのはユーザであり、それによって動作定義レジスタ１７８への命令の設定がなされることが明らかであるから、ユーザが（動作定義レジスタ１７８を介して）自由に時刻表示位置レジスタ１７１の内容を書き換えて、背景画像に合成する時刻の画像の表示位置を設定するものであるということができる。
　したがって、上記引用例２の記載及び図面並びにこの分野における技術常識を考慮すると、上記引用例２には、以下の発明が記載されているものと認められる。
　
　「時刻の画像を背景画像に合成し、合成後の画像を表示部に表示させる手段と、上記背景画像に合成する時刻の画像の表示位置をユーザが設定する手段とを備えた時計。」
　
３．３　対比・判断
　補正発明と引用発明を対比すると、引用発明の「画面データ」、「入力装置」、「画面データ記憶部３４」、「表示器２０」は、それぞれ「画像」、「画像入力手段」、「記憶手段」、「ディスプレイ」であり、また、待受画像に関して、補正発明と引用発明とは、時計画像と（画像入力手段により入力された）画像とを待受画像として表示する点では一致し、さらに、補正発明の「携帯電話機」と引用発明の「無線選択呼出受信機」とは、携帯機である点では一致するから、補正発明と引用発明の一致点及び相違点は、次のとおりである。
　
＜一致点＞
　「外部から画像を入力する画像入力手段と、上記画像入力手段により入力された画像を記憶する記憶手段と、上記記憶手段に記憶されている少なくとも１以上の画像のうち、待受画像に使用する画像を選択し、時計画像と画像とを待受画像としてディスプレイに表示する手段とを備えた携帯機。」
　
＜相違点＞
（相違点１）
　補正発明は、携帯機が「携帯電話機」であるのに対して、引用発明では「無線選択呼出受信機」である点。
（相違点２）
　補正発明では、外部から入力され、記憶及び表示する画像が「撮像画像」であるのに対して、引用発明では、画像に関してそのような限定がない点。
（相違点３）
　補正発明は、「時計画像を該撮像画像に合成し、合成後の撮像画像を待受画像としてディスプレイに表示する画像生成手段」を備えているのに対して、引用発明は、「時計画像と画像とを待受画像としてディスプレイに表示する手段」を備えているものの、画像を「合成」する処理をしているか否かが明確でない点。
（相違点４）
　補正発明は、「予め用意された複数の時計画像の表示位置のうち、上記撮像画像に合成する時計画像の表示位置をユーザが選択操作することにより設定する設定手段」を備えているのに対して、引用発明は、そのような手段を備えていない点。
　
　そこで、上記の各相違点について検討する。
（相違点１について）
　携帯電話機において、種々の内容の待受画像の表示を行うことは、特開平１０−２９０４７８号公報（請求項１等参照）、特開平１１−１８１４５号公報（段落【０００４】等参照）に示されているように周知であるから、引用発明における表示のための構成の適用先を携帯電話機とすることは、当業者が適宜なしうる程度のことである。
（相違点２について）
　携帯電話機等の無線通話が可能な装置において、外部から撮影画像を入力し、当該装置において入力された撮影画像を記憶し、表示することは、特開平１０−３２７２３２号公報（段落【００１８】〜【００１９】等参照）、特開平１０−３２７２３３号公報（段落【００２０】等参照）、特開平１１−３２３１６号公報（段落【００３６】〜【００４８】等参照）に示されているように周知であるから、引用発明において、外部から入力され、記憶及び表示する画像を当該周知技術のように撮影画像とすることは、当業者が適宜なしうる程度のことである。
（相違点３、４について）
　前述のように、引用例２には、時刻の画像を背景画像に合成し、合成後の画像を表示部に表示させる手段と、上記背景画像に合成する時刻の画像の表示位置をユーザが設定する手段とを備えた時計の発明が記載されており、引用発明において、時計画像と画像とをディスプレイに表示するために、上記引用例２記載の発明における前者の手段、すなわち２画像を合成し、合成後の画像を表示する手段を適用することは、当業者であれば容易に想到しうることである。
　加えて、携帯電話機等の画面に表示される種々の情報の表示位置をユーザが所望に設定可能とすることは、一般的な技術課題であるから、引用発明において、上記引用例２記載の発明における後者の手段、すなわち合成する画像の表示位置をユーザが設定する手段を更に適用することは、当業者であれば容易に想到しうることである。
　その際に、携帯電話機等において撮影画像を表示することは、相違点２について検討したように周知であり、他方、種々の情報を表示する表示装置において、特定の情報の表示の表示位置を、予め用意された複数の表示位置のうちからユーザが選択操作することにより設定可能とすることも、特開平９−８１１７０号公報（段落【００１８】、【００２１】等参照）、特開平４−１３２４７５号公報（３頁右上欄１６行−右下欄４行）に示されているように周知であるから、引用発明において、時計画像が合成される画像を撮像画像とし、かつ、時計画像の表示位置の設定を、予め用意された複数の表示位置のうちからユーザが選択操作することにより行うものとすることは、当業者が適宜なしうる程度のことである。
　
　そして、補正発明の作用効果も、引用例１及び引用例２に記載された発明並びに周知技術から、当業者が容易に予測できる範囲のものである。
　
　したがって、補正発明は、引用例１及び引用例２に記載された発明並びに周知技術に基づいて、当業者が容易に発明をすることができたものであるから、特許法第２９条第２項の規定により、特許出願の際独立して特許を受けることができないものである。
　
４．むすび
　以上のとおり、本件手続補正は、平成１８年改正前特許法第１７条の２第５項において準用する同法第１２６条第５項の規定に違反するので、同法第１５９条第１項の規定において読み替えて準用する同法第５３条第１項の規定により却下されるべきものである。
　
第３　本願発明について
１．本願発明
　平成１７年３月２５日付けの手続補正は、上記のとおり却下されたので、本願の請求項２に係る発明（以下、「本願発明」という。）は、平成１６年１０月１５日付けの手続補正書により補正された明細書及び図面の記載からみて、その特許請求の範囲の請求項２に記載された以下のとおりのものである。
　「外部から撮像画像を入力する画像入力手段と、上記画像入力手段により入力された撮像画像を記憶する記憶手段と、上記記憶手段に記憶されている少なくとも１以上の撮像画像のうち、待受画像に使用する撮像画像を選択し、時計画像を該撮像画像に合成し、合成後の撮像画像を待受画像としてディスプレイに表示する画像生成手段と、予め用意された複数の時計画像の表示位置のうち、上記撮像画像に合成する時計画像の表示位置を選択操作することにより設定する設定手段とを備えた携帯電話機。」
　
２．引用発明
　引用発明は、上記「第２　補正却下の決定」の「３．２　引用発明」の項で認定したとおりである。
　
３．対比・判断
　本願発明は、上記「第２　補正却下の決定」で検討した補正発明において、「選択操作」に関して、「ユーザが選択操作する」ものであるとの限定を削除したものである。
　
　そうすると、本願発明の構成要件をすべて含み、さらに他の構成要件を付加又は限定した補正発明が、上記「第２　補正却下の決定」の「３．３　対比・判断」の項に記載したとおり、引用例１及び引用例２に記載された発明並びに周知技術に基づいて当業者が容易に発明をすることができたものであるから、本願発明も同様の理由により、当業者が容易に発明をすることができたものである。
　
４．むすび
　以上のとおり、本願発明は、引用例１及び引用例２に記載された発明並びに周知技術に基づいて当業者が容易に発明をすることができたものであるから、特許法第２９条第２項の規定により特許を受けることができない。
　
　よって、結論のとおり審決する。